(57)【要約】【課題】映像音声情報（以下では単に情報）をコピーするときの入力操作が煩雑となる事態を招くことなく、コピーされた情報が戻されたときに暗号化が解除される情報を、戻される情報のコピー元の情報とする。【解決手段】コピー時には分離可能記録媒体１７，１９（以下では単に媒体）に映像音声情報（以下では単に情報）と暗号鍵とを記録し且つ装置側記録媒体３のコピー元の情報を暗号鍵を用いて暗号化する構成において、暗号鍵をそのときまでに生成した暗号鍵とは異なる暗号鍵とし、暗号鍵を暗号化したコピー元の情報に付加し、コピーされた情報を戻すときには、媒体の情報を消去するとともに、媒体に記録された暗号鍵と同じ暗号鍵が付加された情報の暗号化を解除する。【選択図】図１
2006085232.tif 000002
【特許請求の範囲】
【請求項１】
装置本体に設けられた装置側記録媒体に記録された映像音声情報であるコピー元映像音声情報を、装置本体から分離可能であるとともに情報の書き換えが可能な分離可能記録媒体にコピーするときには、暗号鍵を生成し且つ分離可能記録媒体にコピー元映像音声情報と前記暗号鍵とを記録し且つ装置側記録媒体に記録されたコピー元映像音声情報を前記暗号鍵を用いて暗号化し、
暗号化された映像音声情報の再生を禁止する映像音声情報記録再生装置において、
装置本体に設けられ、装置本体に固有の装置識別情報を記憶した識別情報記憶手段を備え、
前記暗号鍵をそのときまでに生成した暗号鍵とは異なるとともに識別情報記憶手段が記憶した装置識別情報を含んだ暗号鍵とし、
前記暗号鍵を前記暗号鍵を用いて暗号化したコピー元映像音声情報に付加し、
分離可能記録媒体にコピーされた映像音声情報を装置側記録媒体に戻す場合、分離可能記録媒体に記録された暗号鍵に含まれる装置識別情報が識別情報記憶手段が記憶した装置識別情報に一致するときには分離可能記録媒体に記録された映像音声情報を消去するとともに装置側記録媒体に記録された暗号化された映像音声情報のうち、付加された暗号鍵が前記分離可能記録媒体に記録された暗号鍵に一致する映像音声情報の暗号化を解除し、分離可能記録媒体に記録された暗号鍵に含まれる装置識別情報が識別情報記憶手段が記憶した装置識別情報に一致しないときには映像音声情報の暗号化の解除を中止することを特徴とする映像音声情報記録再生装置。
【請求項２】
装置本体に設けられた装置側記録媒体に記録された映像音声情報であるコピー元映像音声情報を、装置本体から分離可能であるとともに情報の書き換えが可能な分離可能記録媒体にコピーするときには、暗号鍵を生成し且つ分離可能記録媒体にコピー元映像音声情報と前記暗号鍵とを記録し且つ装置側記録媒体に記録されたコピー元映像音声情報を前記暗号鍵を用いて暗号化し、
暗号化された映像音声情報の再生を禁止する映像音声情報記録再生装置において、
前記暗号鍵をそのときまでに生成した暗号鍵とは異なる暗号鍵とし、
前記暗号鍵を前記暗号鍵を用いて暗号化したコピー元映像音声情報に付加し、
分離可能記録媒体にコピーされた映像音声情報を装置側記録媒体に戻すときには、分離可能記録媒体に記録された映像音声情報を消去するとともに、装置側記録媒体に記録された暗号化された映像音声情報のうち、付加された暗号鍵が前記分離可能記録媒体に記録された暗号鍵に一致する映像音声情報の暗号化を解除することを特徴とする映像記録再生装置。
【発明の詳細な説明】
【技術分野】
【０００１】
本発明は、装置本体に設けられた装置側記録媒体に記録された映像音声情報であるコピー元映像音声情報を、装置本体から分離可能な分離可能記録媒体にコピーするときには、装置側記録媒体に記録されたコピー元映像音声情報を暗号化することによって再生を不能化し、分離可能記録媒体にコピーされた映像音声情報が戻されたときには、装置側記録媒体のコピー元映像音声情報の暗号化を解除して再生を可能にする映像音声情報記録再生装置に関するものである。
【背景技術】
【０００２】
デジタル放送によって放映される番組には、多くの場合、コピーワンスと呼ばれる制限が設けられている。このため、ハードディスクドライブ（以下では、ＨＤＤと称する）に映像音声情報（番組）を記録した後、ＤＶＤにダビングしたときには、ＨＤＤに記録された映像音声情報は消去されるようになっている。すなわち、映像音声情報をＤＶＤにダビングすると、ダビング元の映像音声情報が永久に失われるという不都合が生じるので、このような不都合を解消するために、以下に示す技術（第１の従来技術とする）が提案されている。
【０００３】
すなわち、この技術においては、配信された曲（音楽コンテンツ）が記録媒体Ａに記録されているとすると、この音楽コンテンツを記録媒体Ｂにコピーしたとき、記録媒体Ａに記録された音楽コンテンツについては、消去することなく暗号化するとともに、暗号化を解除するための暗号鍵を生成することが開示されている。そして、記録媒体Ｂに音楽コンテンツをコピーした後には、暗号鍵も記録媒体Ｂに記録するようになっている。また、記録媒体Ａにおいては、暗号鍵の消去、または暗号鍵の無効化を行うようになっている。その結果、音楽コンテンツを記録媒体Ｂにコピーした後では、記録媒体Ａには音楽コンテンツが消去されずに残されるが、再生が不能なように制御される。
【０００４】
また、記録媒体Ｂにコピーした配信曲を移動元の記録媒体Ａに移動させる場合、移動元の記録媒体Ａには音楽コンテンツの実データが残されているため、音楽コンテンツを記録媒体Ｂから記録媒体Ａに移動させるための処理は、暗号化を解除するための暗号鍵の移動のみでよくなる。また、移動元である記録媒体Ａに音楽コンテンツの実データを残しているので、音楽コンテンツの移動によって音楽コンテンツの情報が欠落したとしても、再度、移動元の記録媒体Ａに音楽コンテンツを移動すれば、欠落した情報を取り戻すことができるようになる。すなわち、配信された音楽コンテンツに静止画が含まれている場合、静止画を記録できない記録媒体Ｂに音楽コンテンツを移動してしまうと、記録媒体Ｂには静止画が移動されないことがある。しかし、このような場合であっても、記録媒体Ｂに移動された音楽コンテンツを移動元の記録媒体Ａに移動させると、再び静止画の表示が可能になることも、併せて開示されている（例えば、特許文献１参照）。
【０００５】
また、上記した特許文献１においては、以下に示す内容（第２の従来技術とする）も併せて開示されている。すなわち、ディスクＤ１に記録されている音楽コンテンツＭ１を記録媒体Ｃにコピー（チェックアウト）する場合、ディスクＤ１の名称の入力をユーザに求め、入力された名称と、コピーされる音楽コンテンツＭ１の固有情報とを対応付けて、記録媒体Ｃの秘匿領域に記録している。また、同様に、ディスクＤ２に記録されている音楽コンテンツＭ２を記録媒体Ｃにコピー（チェックアウト）する場合、ディスクＣ２の名称の入力をユーザに求め、入力された名称と、コピーされる音楽コンテンツＭ２の固有情報とを対応付けて、記録媒体Ｃの秘匿領域に記録している。そして、記録媒体Ｃにコピーした音楽コンテンツを移動元に戻す（チェックインする）ときには、秘匿領域に記録されたデータを読み出すことによって、音楽コンテンツＭ１，Ｍ２と、音楽コンテンツＭ１，Ｍ２のそれぞれに対応するディスクの名称とを表示するようになっている。このため、例えば、音楽コンテンツＭ１を戻したいと思ったときには、ディスクＤ１をドライブに挿入すればよく、音楽コンテンツＭ２を戻したいと思ったときには、ディスクＤ２をドライブに挿入すればよいことが判明する。
【特許文献１】特開２００２−３３４５５９号公報（第００１９〜００２８段落、第００３０段落、第００３５段落）
【発明の開示】
【発明が解決しようとする課題】
【０００６】
しかしながら、第１の従来技術を用いる場合では、以下に示す問題を生じる。すなわち、いま、装置本体に設けられたＨＤＤに多数の映像音声情報が記録されているとする。そして、ＨＤＤに記録された多数の映像音声情報のうち、映像音声情報ｇをＤＶＤｇにコピーした後、映像音声情報ｇを暗号化したとする。また、映像音声情報ｈをＤＶＤｈにコピーした後、映像音声情報ｈを暗号化したとする。そして後、ＤＶＤｇにコピーした映像音声情報ｇをＨＤＤに戻すとする。このときでは、映像音声情報ｇの暗号化の解除を可能にしなければならないが、映像音声情報ｈの暗号化の解除を可能にしてはならない。また、ＤＶＤｈにコピーした映像音声情報ｈをＨＤＤに戻すとする。このときでは、映像音声情報ｇの暗号化の解除を可能にしてはならないが、映像音声情報ｈの暗号化の解除を可能にしなければならない。
【０００７】
しかし、第１の従来技術においては、コピーされた情報を戻す場合、『配信された音楽コンテンツに静止画が含まれている場合、静止画を記録できない記録媒体Ｂに音楽コンテンツを移動してしまうと、記録媒体Ｂには静止画が移動されないことがある。しかし、このような場合であっても、記録媒体Ｂに移動された音楽コンテンツを移動元の記録媒体Ａに移動させると、再び静止画を表示することが可能となる』、ことが開示されているに過ぎない。従って、上記した問題を解決しようとする観点からは、適用することが困難となっている。
【０００８】
一方、第２の従来技術においては、コピー先の記録媒体に記録されたコンテンツが、複数の記録媒体のうちのどの記録媒体からコピーされたものであるかが表示される。すなわち、戻そうとするコンテンツと、コピー元となった記録媒体との対応関係が表示される。従って、コピー先のコンテンツを戻すとき、どの記録媒体にもどせばよいかの判別が容易となる。言い換えるなら、第２の従来技術は、コピー元となる音楽コンテンツが複数の記録媒体に分かれて記録されている場合に適用される技術となっている。このため、第１の従来技術において生じた問題、すなわち、コピー元となる映像音声情報の全てが同じ記録媒体（ＨＤＤ）に記録されており、コピー先となる記録媒体が複数となる場合において、映像音声情報が戻される毎に、戻される映像音声情報のコピー元となる映像音声情報の暗号化の解除を可能にするという観点からするときには、基本構成が異なるので、適用することは困難となっている。
【０００９】
本発明は上記課題を解決するために創案されてものであり、その目的は、映像音声情報をコピーするときの入力操作が煩雑となる事態を招くことなく、コピー先の記録媒体にコピーされた映像音声情報が戻されたときに暗号化が解除される映像音声情報を、戻される映像音声情報のコピー元となった映像音声情報とすることのでき、且つ、ＨＤＤが異なる筐体に移動されたときには、ＨＤＤ内の暗号化された映像音声情報の暗号化の解除を不能とすることのできる映像音声情報記録再生装置を提供することにある。
【００１０】
また、本発明の目的は、多数の映像音声情報が記録された記録媒体から所望の複数の映像音声情報を互いに異なる複数の記録媒体にコピーし、コピーを行ったときにはコピー元の映像音声情報が暗号化によって再生が不能化され、コピー先の記録媒体にコピーされた映像音声情報が戻されると、コピー元の映像音声情報の暗号化を解除して再生を可能化する場合において、映像音声情報をコピーするときの入力操作が煩雑となる事態を招くことなく、コピー先の記録媒体にコピーされた映像音声情報が戻されたときに暗号化が解除される映像音声情報を、戻される映像音声情報のコピー元となった映像音声情報とすることのできる映像音声情報記録再生装置を提供することにある。
【課題を解決するための手段】
【００１１】
上記の課題を解決するため、本発明に係る映像音声情報記録再生装置は、装置本体に設けられた装置側記録媒体に記録された映像音声情報であるコピー元映像音声情報を、装置本体から分離可能であるとともに情報の書き換えが可能な分離可能記録媒体にコピーするときには、暗号鍵を生成し且つ分離可能記録媒体にコピー元映像音声情報と前記暗号鍵とを記録し且つ装置側記録媒体に記録されたコピー元映像音声情報を前記暗号鍵を用いて暗号化し、暗号化された映像音声情報の再生を禁止する映像音声情報記録再生装置に適用している。そして、装置本体に設けられ、装置本体に固有の装置識別情報を記憶した識別情報記憶手段を備え、前記暗号鍵をそのときまでに生成した暗号鍵とは異なるとともに識別情報記憶手段が記憶した装置識別情報を含んだ暗号鍵とし、前記暗号鍵を前記暗号鍵を用いて暗号化したコピー元映像音声情報に付加し、分離可能記録媒体にコピーされた映像音声情報を装置側記録媒体に戻す場合、分離可能記録媒体に記録された暗号鍵に含まれる装置識別情報が識別情報記憶手段が記憶した装置識別情報に一致するときには分離可能記録媒体に記録された映像音声情報を消去するとともに装置側記録媒体に記録された暗号化された映像音声情報のうち、付加された暗号鍵が前記分離可能記録媒体に記録された暗号鍵に一致する映像音声情報の暗号化を解除し、分離可能記録媒体に記録された暗号鍵に含まれる装置識別情報が識別情報記憶手段が記憶した装置識別情報に一致しないときには映像音声情報の暗号化の解除を中止するようになっている。
【００１２】
すなわち、装置側記録媒体に記録された暗号化された映像音声情報のうち、付加された暗号鍵が、分離可能記録媒体に記録された暗号鍵に一致する映像音声情報は、戻される映像音声情報に対応する暗号化された映像音声情報となる。従って、戻される映像音声情報に対応する映像音声情報の暗号化が解除される。且つ、装置側記録媒体が異なる筐体に移動されたときでは、暗号鍵に含まれる装置識別情報が、識別情報記憶手段が記憶した装置識別情報とは異なることになるので、映像音声情報の暗号化は行われない。
【００１３】
また、本発明に係る映像音声情報記録再生装置は、装置本体に設けられた装置側記録媒体に記録された映像音声情報であるコピー元映像音声情報を、装置本体から分離可能であるとともに情報の書き換えが可能な分離可能記録媒体にコピーするときには、暗号鍵を生成し且つ分離可能記録媒体にコピー元映像音声情報と前記暗号鍵とを記録し且つ装置側記録媒体に記録されたコピー元映像音声情報を前記暗号鍵を用いて暗号化し、暗号化された映像音声情報の再生を禁止する映像音声情報記録再生装置に適用している。そして、暗号鍵をそのときまでに生成した暗号鍵とは異なる暗号鍵とし、前記暗号鍵を前記暗号鍵を用いて暗号化したコピー元映像音声情報に付加し、分離可能記録媒体にコピーされた映像音声情報を装置側記録媒体に戻すときには、分離可能記録媒体に記録された映像音声情報を消去するとともに、装置側記録媒体に記録された暗号化された映像音声情報のうち、付加された暗号鍵が前記分離可能記録媒体に記録された暗号鍵に一致する映像音声情報の暗号化を解除するようになっている。
【００１４】
すなわち、装置側記録媒体に記録された暗号化された映像音声情報のうち、付加された暗号鍵が、分離可能記録媒体に記録された暗号鍵に一致する映像音声情報は、戻される映像音声情報に対応する暗号化された映像音声情報となる。従って、戻される映像音声情報に対応する映像音声情報の暗号化が解除される。
【発明の効果】
【００１５】
本発明によれば、装置側記録媒体に記録された暗号化された映像音声情報のうち、付加された暗号鍵が、分離可能記録媒体に記録された暗号鍵に一致する映像音声情報は、戻される映像音声情報に対応する暗号化された映像音声情報となる。従って、分離可能記録媒体にコピーされた映像音声情報が戻される場合、戻される映像音声情報に対応する映像音声情報の暗号化が解除される。また、装置側記録媒体が異なる筐体に移動されたときでは、暗号鍵に含まれる装置識別情報が、識別情報記憶手段が記憶した装置識別情報とは異なることになるので、映像音声情報の暗号化は行われない。このため、映像音声情報をコピーするときの入力操作が煩雑となる事態を招くことなく、コピー先の記録媒体にコピーされた映像音声情報が戻されたときに暗号化が解除される映像音声情報を、戻される映像音声情報のコピー元となった映像音声情報とすることができ、且つ、装置側記録媒体が異なる筐体に移動されたときには、装置側記録媒体内の暗号化された映像音声情報の暗号化の解除を不能とすることができる。
【００１６】
また、本発明によれば、装置側記録媒体に記録された暗号化された映像音声情報のうち、付加された暗号鍵が、分離可能記録媒体に記録された暗号鍵に一致する映像音声情報は、戻される映像音声情報に対応する暗号化された映像音声情報となる。従って、分離可能記録媒体にコピーされた映像音声情報が戻される場合、戻される映像音声情報に対応する映像音声情報の暗号化が解除される。このため、コピー先の記録媒体にコピーされた映像音声情報が戻されると、コピー元の映像音声情報の暗号化を解除して再生を可能化する場合において、映像音声情報をコピーするときの入力操作が煩雑となる事態を招くことなく、コピー先の記録媒体にコピーされた映像音声情報が戻されたときに暗号化が解除される映像音声情報を、戻される映像音声情報のコピー元となった映像音声情報とすることができる。
【発明を実施するための最良の形態】
【００１７】
以下、本発明の実施の形態について図を参照して説明する。
【００１８】
図１は、本発明に係る映像音声情報記録再生装置の一実施形態の電気的構成を示すブロック線図であり、具体的にはハードディスクドライブ一体型ＤＶＤレコーダを示している。
【００１９】
図において、時計部８は、年を示す情報を含む日付や曜日や時刻を計時し、計時結果をマイクロコンピュータ（以下では、マンコンと称する）５に出力する。チューナ部１は、マイコン５から指示されたチャンネルのアナログ商用放送を受信する。そして、受信により得られたアナログ映像音声信号を録再信号処理部４に出力する。
【００２０】
ディスクドライブ部２は、録再信号処理部４から出力される映像音声情報を、所定処理した後に、データを記録可能なＤＶＤ（ＤＶＤ−Ｒ、ＤＶＤ−ＲＷ、ＤＶＤ−ＲＡＭ等）１７に記録する。また、ＤＶＤ（ＤＶＤ−ビデオ、ＤＶＤ−Ｒ、ＤＶＤ−ＲＷ、ＤＶＤ−ＲＡＭ等）１７に記録された情報を再生するとともに、再生した情報を所定処理して得られた映像音声情報を録再信号処理部４に出力する。
【００２１】
ハードディスクドライブ部（請求項記載の装置側記録媒体であり、以下ではＨＤＤ部と称する）３は、録再信号処理部４から出力される映像音声情報を記録する。また、記録した映像音声情報を再生して録再信号処理部４に出力する。
【００２２】
インタフェース部１０は、装置本体から分離可能であるとともに、情報の書き換えが可能な外部装置である携帯情報端末（請求項記載の分離可能記録媒体）１９に、録再信号処理部４から送出される映像音声情報を出力する。また、マイコン５と携帯情報端末１９との間のインタフェースを行う。
【００２３】
録再信号処理部４は、アナログ放送の受信となるときには、チューナ部１が出力する映像音声信号を、装置本体の外部に設けられたテレビ受像機１８に送出する。また、アナログ放送の記録となるときには、チューナ部１が出力する映像音声信号を、Ａ／Ｄ変換して後、所定の圧縮方式（ＭＰＥＧ２方式等）で圧縮して得られた映像音声情報を、ディスクドライブ部２やＨＤＤ部３に出力する。
【００２４】
また、ＨＤＤ部３に記録された映像音声情報やＤＶＤ１７に記録された映像音声情報の再生となるときには、ＨＤＤ部３が出力する映像音声情報、あるいは、ディスクドライブ部２が出力する映像音声情報を伸長して後、Ｄ／Ａ変換して得られた映像音声信号をテレビ受像機１８に出力する。
【００２５】
また、映像音声情報のコピーとなるときには、ディスクドライブ部２が出力する映像音声情報をＨＤＤ部３やインタフェース部１０に転送する。また、ＨＤＤ部３が出力する映像音声情報をディスクドライブ部２やインタフェース部１０や暗号化処理手段１１に転送する。また、暗号化処理手段１１から出力される映像音声情報をＨＤＤ部３に出力する。また、マイコン５から出力される暗号鍵（後に詳述する）を映像音声情報に付加する。
【００２６】
暗号化処理手段１１は、ＨＤＤ部３から出力され、録再信号処理部４を介して導かれた映像音声情報に対し、マイコン５から与えられた暗号鍵に基づいて暗号化の処理を行う。そして、暗号化の処理を行った映像音声情報を、録再信号処理部４を介して、ＨＤＤ部３に出力し、記録する。また、ＨＤＤ部３から出力され、録再信号処理部４を介して導かれた暗号化された映像音声情報に対し、マイコン５から与えられた暗号鍵に基づいて暗号化の解除を行った後、録再信号処理部４を介して、ＨＤＤ部３に出力し、記録する。
【００２７】
入力部６は、装置本体の前面パネル（図示を省略）に設けられた電源キー等のキースイッチや、リモートコントローラ（以下では、リモコンと称する）７から送信される赤外線信号を受光する受光ユニット等を備えており、ユーザからの指示が入力されると、入力された指示をマイコン５に出力する。
【００２８】
識別情報記憶手段９は、マイコン５を構成するＲＯＭ等の記憶素子の記憶エリアの一部でもって構成され、装置を互いに識別可能にするための情報、すなわち、装置本体に固有の情報である装置識別情報を記憶している。そして、記憶した装置識別情報をマイコン５に出力する。
【００２９】
マイコン５は、ハードディスクドライブ一体型ＤＶＤレコーダとしての主要動作を制御する。すなわち、ＤＶＤ１７を記録媒体として使用するＤＶＤモードとなるときには、再生の指示がリモコン７に入力されると、録再信号処理部４とディスクドライブ部２との動作を制御することによって、ＤＶＤ１７に記録された映像音声情報を再生した後、所定処理して得られた映像音声信号をテレビ受像機１８に出力する（ＤＶＤ１７に記録された映像音声情報をテレビ受像機１８に表示する）。また、記録の指示がリモコン７に入力されると、チューナ部１が出力する映像音声信号を映像音声情報に変換してＤＶＤ１７に記録する。
【００３０】
また、ＨＤＤ部３を記録媒体として使用するＨＤＤモードとなるときには、再生の指示がリモコン７に入力されると、録再信号処理部４とＨＤＤ部３との動作を制御することによって、ＨＤＤ部３に記録された映像音声情報を再生した後、所定処理して得られた映像音声信号をテレビ受像機１８に出力する（ＨＤＤ部３に記録された映像音声情報をテレビ受像機１８に表示する）。また、記録の指示がリモコン７に入力されると、録再信号処理部４とＨＤＤ部３とを制御することにより、チューナ部１が出力する映像音声信号を映像音声情報に変換してＨＤＤ部３に記録する。
【００３１】
また、マイコン５は、ＨＤＤ部３に記録された映像音声情報をＤＶＤ１７や携帯情報端末１９にコピーするとき、コピーする映像音声情報が、移動は許可されているがコピーは禁止となっている場合、そのときまでに既に生成した暗号鍵とは異なる暗号鍵を生成する。そして、生成した暗号鍵を録再信号処理部４と暗号化処理手段１１とに与える。次いで、ＨＤＤ部３と録再信号処理部４とを制御することによって、コピーしようとする映像音声情報（請求項記載のコピー元映像音声情報）をＨＤＤ部３から出力させ、ディスクドライブ部２やインタフェース部１０に転送することによって、このときに生成した暗号鍵が付加された映像音声情報をＤＶＤ１７や携帯情報端末１９にコピーする。
【００３２】
また、ＨＤＤ部３に記録されたコピー元映像音声情報の暗号化を行う。すなわち、ＨＤＤ部３から出力されるコピー元映像音声情報（ＤＶＤ１７や携帯情報端末１９にコピーされた映像音声情報）を、暗号化処理手段１１において、生成した暗号鍵を用いて暗号化した後、再びＨＤＤ部３に出力して記録する。なお、このときには、生成した暗号鍵を、暗号化した映像音声情報に付加する。また、ＨＤＤ部３における暗号化される前のコピー元映像音声情報を消去する。従って、ＨＤＤ部３には、暗号化されたコピー元映像音声情報のみが残る。
【００３３】
また、マイコン５は、ＤＶＤ１７や携帯情報端末１９にコピーされた映像音声情報をＨＤＤ部３に戻すときには、ＤＶＤ１７や携帯情報端末１９に記録された映像音声情報に付加された暗号鍵と同じ暗号鍵が付加された映像音声情報があるかどうかを調べる。そして、同じ暗号鍵が付加された映像音声情報があるときには、ＤＶＤ１７や携帯情報端末１９にコピーされた映像音声情報を消去する。また、暗号化処理手段１１を制御することによって、前記同じ暗号鍵が付加された映像音声情報の暗号化を解除する。すなわち、ＤＶＤ１７や携帯情報端末１９にコピーされた映像音声情報のコピー元となる映像音声情報を、暗号化を解除することによって、再生可能にする。
【００３４】
なお、上記したコピーを行うときに生成される暗号鍵は、それまでに既に生成した暗号鍵とは異なる暗号鍵となることが保証される生成方法を用いる。すなわち、マイコン５は、生成時の日時を示す情報（年、日付、時、分、秒のそれぞれを示す情報により構成される）が暗号鍵の内容に含まれるようにする。また、その他の装置において生成される暗号鍵に一致する暗号鍵となることを防止するため、識別情報記憶手段９が記憶した装置識別情報も含まれるようにする。
【００３５】
図２は、ＨＤＤ部３に記録された映像音声情報をＤＶＤ１７や携帯情報端末１９にコピーするときの実施形態の主要動作を示すフローチャート、図３は、ＤＶＤ１７にコピーされた映像音声情報が戻されるときの実施形態の主要動作を示すフローチャートである。必要に応じて同図を参照しつつ、実施形態の動作を説明する。
【００３６】
ＨＤＤ部３に記録された映像音声情報をＤＶＤ（請求項記載の分離可能記録媒体であり、ＤＶＤ−ＲＷやＤＶＤ−ＲＡＭ等）１７や携帯情報端末１９にコピーするときには、リモコン７を用いて、コピーの対象となる映像音声情報を選択した後、コピーを指示する（ステップＳ１）。コピーが指示されるとマイコン５は、選択された映像音声情報が、コピーワンスの制限が設けられた映像音声情報であるのか、あるいは、コピーに関して制限が設けられていない映像音声情報であるのかを調べる。コピーワンスであることが判明したときには、図５に示したように、時計部８が計時する日時を示す情報と、識別情報記憶手段９が記憶した装置識別情報とにより形成される暗号鍵を生成する（ステップＳ２，Ｓ３）。
【００３７】
次いで、マイコン５は、コピー先となる記録媒体がＤＶＤ１７であるのか、あるいは、携帯情報端末１９であるのかを調べる（ステップＳ４）。コピー先の記録媒体がＤＶＤ１７であるときには、生成した暗号鍵を録再信号処理部４に出力するとともに、ＨＤＤ部３と録再信号処理部４とディスクドライブ部２とを制御することにより、選択された映像音声情報を、暗号鍵を付加した状態で、圧縮率を変えることなくＤＶＤ１７にコピーする（ステップＳ５，Ｓ６）。そして後、ＤＶＤ１７にコピーされた映像音声情報のコピー元であるコピー元映像音声情報を、生成した暗号鍵を用いて暗号化する（ステップＳ７）。また、暗号化した映像音声情報に暗号鍵を付加する（ステップＳ８）。
【００３８】
ここで、補助的な説明を行うと、コピー元映像音声情報の暗号化は、コピー元映像音声情報を、録再信号処理部４を介して、ＨＤＤ部３から暗号化処理手段１１に出力することにより、暗号化する。そして、暗号化した映像音声情報を、録再信号処理部４を介してＨＤＤ部３に記録する。このとき、暗号鍵の付加を行う。そして後、暗号化されていないコピー元映像音声情報をＨＤＤ部３から消去する。従って、図２に示すフローチャートにおいては、コピー元映像音声情報の暗号化と、暗号鍵の付加とは、異なるステップの動作として示されているが、実機における動作は、同時的に進行する動作となっている。
【００３９】
上記した動作を、図６を参照して説明すると、同図（Ａ）に示したように、ＨＤＤ部３に記録された映像音声情報ａをＤＶＤ１７ａにコピーした場合、ＤＶＤ１７ａには映像音声情報ａと暗号鍵ａとが記録される。そして、ＨＤＤ部３の映像音声情報ａの暗号化と、暗号鍵ａの付加とが行われる。従って、ステップＳ８の動作が終了したときには、同図（Ｂ）に示したように、ＨＤＤ部３には、暗号化された映像音声情報ａと暗号鍵ａとが記録されることになる。
【００４０】
図２を参照した説明に戻ると、記録媒体が携帯情報端末１９であるときには、ステップＳ５に続く動作はステップＳ１１となる。従って、このときでは、選択された映像音声情報は、携帯情報端末１９に設けられた記憶手段の記憶容量に収まるように、圧縮率を高めてコピーされる。このとき、コピーされる映像音声情報には暗号鍵が付加される。また、ＨＤＤ部３の側においては、コピー元映像音声情報は、暗号化されるとともに暗号鍵が付加される。
【００４１】
従って、図６（Ｂ）に示したように、映像音声情報ｂが、圧縮率を高めて携帯情報端末１９ｂにコピーされたとすると、携帯情報端末１９ｂには、圧縮率が高められた映像音声情報ｂと、このときの暗号鍵ｂとが記録される。また、ＨＤＤ部３の側においては、映像音声情報ｂは、暗号化されるとともに暗号鍵ｂが付加される。その結果、同図（Ｃ）に示したように、ＨＤＤ部３においては、暗号化された映像音声情報ｂと暗号鍵ｂとが記録されることになる。
【００４２】
なお、コピーの対象として選択された映像音声情報がコピーワンスでないときには、動作は、ステップＳ２からステップＳ１２に移行し、選択された映像音声情報がコピー先の記録媒体にコピーされる。
【００４３】
以下に、ＤＶＤ１７ａにコピーした映像音声情報ａを戻す指示を入力したときの動作について説明する。コピー先の記録媒体から映像音声情報を戻す指示が入力される（ステップＳ２１）と、ＤＶＤ１７ａに記録された暗号鍵ａが、ディスクドライブ部２によって読み取られ、録再信号処理部４を介してマイコン５に与えられる（ステップＳ２２）。
【００４４】
マイコン５は、与えられた暗号鍵ａの装置識別情報の部分を調べ、暗号鍵の装置識別情報が、識別情報記憶手段９が記憶した装置識別情報に一致するかどうかを調べる（ステップＳ２３）。一致するときには、暗号鍵ａを、暗号化された映像音声情報に付加された暗号鍵と順次比較することによって、与えられた暗号鍵ａと同じ暗号鍵が付加された映像音声情報がＨＤＤ部３に記録されているかどうかを調べる（ステップＳ２４，Ｓ２５）。
【００４５】
記録されているときには、戻されることになる映像音声情報が、ＨＤＤ部３からコピーされたものであることを示すので、ＤＶＤ１７ａにコピーされていた映像音声情報ａと暗号鍵ａとを消去する（ステップＳ２７）。そして後、暗号化された映像音声情報ａの暗号化を解除する（ステップＳ２８）。また、付加していた暗号鍵ａを消去する（ステップＳ２９）。
【００４６】
すなわち、図７を参照しつつ説明すると、映像音声情報ａを戻すときでは、同図（Ａ）に示したように、映像音声情報ａに付加された暗号鍵ａが、暗号化された映像音声情報ａ，ｂのそれぞれに付加された暗号鍵ａ，ｂと比較される。このときでは、暗号化された映像音声情報ａに付加された暗号鍵ａに一致するので、戻される映像音声情報ａは、暗号化された映像音声情報ａであることが判明する。このため、同図（Ｂ）に示したように、暗号化された映像音声情報ａの暗号化が解除される。また、ＤＶＤ１７ａの映像音声情報ａと暗号鍵ａとが消去される。その結果、（Ｃ）に示したように、ＨＤＤ部３においては、暗号化された映像音声情報ａは、暗号化されていない映像音声情報ａなる。また、ＤＶＤ１７ａは、何も記録されていないディスクとなる。
【００４７】
なお、図７（Ｃ）における暗号化された映像音声情報ｂは、携帯情報端末１９ｂにコピーされた映像音声情報ｂを戻すと、暗号化が解除されることになる。
【００４８】
図４は、ＨＤＤ部３に記録された映像音声情報の再生時の実施形態の主要動作を示すフローチャートである。必要に応じて同図を参照しつつ、再生時の実施形態の動作を説明する。
【００４９】
ＨＤＤ部３に記録された映像音声情報のタイトルの一覧を表示させて、再生する映像音声情報を選択した（ステップＳ３１）後、再生の指示を入力すると、マイコン５は、選択された映像音声情報が暗号化されているかどうかを調べる（ステップＳ３２，Ｓ３３）。暗号化されていないときでは、ＨＤＤ部３と録再信号処理部４とを制御することによって、選択された映像音声情報をＨＤＤ部３から再生して、テレビ受像機１８に表示する（ステップＳ３４，Ｓ３５）。一方、選択された映像音声情報が暗号化されているときでは、選択された映像音声情報は再生が禁止されていることを示すメッセージを表示し（ステップＳ３６）、再生を実行しない。
【００５０】
また、映像音声情報を選択した（ステップＳ３１）後、消去の指示が入力されたときでは、選択された映像音声情報を消去する。このときでは、選択された映像音声情報は、暗号化されている場合と暗号化されていない場合との双方において消去される（ステップＳ３２，Ｓ４１，Ｓ４２）。また、映像音声情報を選択した（ステップＳ３１）後、その他の指示を入力したときには、入力した指示に対応する動作が実行される（ステップＳ３２，Ｓ４１，Ｓ４３）。
【００５１】
ここで、補助的な説明を行うと、ＨＤＤ部３が装置本体の筐体から取り出され、異なる筐体内に収められるとともに電気的な接続が行われたときでは、識別情報記憶手段９が異なるので、識別情報記憶手段９が記憶する装置識別情報も異なる。従って、このときでは、ステップＳ２４に続く動作は、終了の動作となる。つまり、ＨＤＤ部３を異なる筐体に移動したときでは、ＨＤＤ部３に暗号化されて記録された映像音声情報の暗号化の解除は行われなくなる。すなわち、ＨＤＤ部３を異なる筐体に移動して、暗号化を解除しようとする不正な操作に対しては、その操作を無効にできるという効果が得られている。
【００５２】
また、携帯情報端末１９にコピーするときでは、映像音声情報の圧縮率を高めることが必要となり、コピーされた映像音声情報においては多くの情報が失われることになるが、携帯情報端末１９にコピーした映像音声情報を戻すと、失われた情報が復活される、という効果が得られることになる。
【００５３】
なお、本発明は上記実施形態に限定されず、映像音声情報に付加する暗号鍵については、所定処理を用いて変形した（例えば、付加する領域の都合で、２つに分割する、等）暗号鍵とすることができる。
【００５４】
また、分離可能記録媒体については、ＤＶＤ１７あるいは携帯情報端末１９とした場合について説明したが、その他の光ディスクとすることや、映像音声情報を記憶する記憶手段を備えたその他の装置とすることができる。
【図面の簡単な説明】
【００５５】
【図１】本発明に係る映像音声情報記録再生装置の一実施形態の電気的構成を示すブロック線図である。
【図２】ＨＤＤ部に記録された映像音声情報をＤＶＤや携帯情報端末にコピーするときの実施形態の主要動作を示すフローチャートである。
【図３】ＤＶＤにコピーされた映像音声情報が戻されるときの実施形態の主要動作を示すフローチャートである。
【図４】ＨＤＤ部に記録された映像音声情報の再生時の実施形態の主要動作を示すフローチャートである。
【図５】暗号鍵の構成を示す説明図である。
【図６】映像音声情報をＤＶＤや携帯情報端末にコピーするときの状態の変化を示す説明図である。
【図７】ＤＶＤにコピーされた映像音声情報を戻すときの状態の変化を示す説明図である。
【符号の説明】
【００５６】
３  ＨＤＤ部（装置側記録媒体）
９  識別情報記憶手段
１７  ＤＶＤ（分離可能記録媒体）
１９  携帯情報端末（分離可能記録媒体）
Ｓ３  暗号鍵を生成するステップ
Ｓ７  コピー元映像音声情報を暗号化するステップ
Ｓ２８  暗号化された映像音声情報の暗号化を解除するステップ
【図１】
2006085232.tif 000003
【図２】
2006085232.tif 000004
【図３】
2006085232.tif 000005
【図４】
2006085232.tif 000006
【図５】
2006085232.tif 000007
【図６】
2006085232.tif 000008
【図７】
2006085232.tif 000009